【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
制御部と記憶部とを少なくとも備える地図情報提供サーバ、および、当該地図情報提供サーバにネットワークを介して通信可能に接続された、表示部と当該表示部に表示された画面をスクロール表示させるスクロール操作信号を少なくとも入力する入力部と制御部とを少なくとも備える端末装置を備えた地図表示システムであって、
上記地図情報提供サーバの上記記憶部は、
施設内地図データを記憶する施設内地図データ記憶手段、
を備え、
上記地図情報提供サーバの上記制御部は、
上記施設内地図データ記憶手段に記憶され、上記端末装置から送信される案内地点情報から特定される上記施設内地図データにスクロール操作可能な領域を設定した領域設定地図データを生成する領域設定手段と、
上記領域設定地図データを上記端末装置へ送信する地図データ送信手段と、
を備え、
上記端末装置の上記制御部は、
上記案内地点情報を上記地図情報提供サーバに送信する案内地点情報送信手段と、
上記地図情報提供サーバの上記地図データ送信手段から送信される上記領域設定地図データを受信する地図データ受信手段と、
上記地図データ受信手段により受信した上記領域設定地図データを表示した地図表示画面を上記表示部に表示させる領域設定地図表示手段と、
上記入力部より入力された上記スクロール操作信号に基づいて、上記表示部に表示された上記地図表示画面をスクロール表示させるスクロール表示手段と、
を備え、
上記スクロール表示手段は、
上記入力部から上記スクロール操作可能な領域を越える上記スクロール操作信号が入力された場合、上記表示部に表示された上記地図表示画面をスクロール表示させるのを制限することを特徴とする、地図表示システム。
【請求項２】
請求項１に記載の地図表示システムにおいて、
上記領域設定手段は、
上記スクロール操作可能な領域として、施設内地図の外縁を結んだ領域を設定することを特徴とする、地図表示システム。
【請求項３】
請求項１に記載の地図表示システムにおいて、
上記領域設定手段は、
上記スクロール操作可能な領域として、内側に施設内地図が包含される最小の矩形領域を設定することを特徴とする、地図表示システム。
【請求項４】
請求項１に記載の地図表示システムにおいて、
上記地図表示画面は、メッシュ地図として表示され、
上記領域設定手段は、
上記スクロール操作可能な領域として、施設内地図が包含されるメッシュから構成される領域を設定することを特徴とする、地図表示システム。
【請求項５】
請求項１に記載の地図表示システムにおいて、
上記地図情報提供サーバの上記記憶部は、
交通機関の時刻表データと道路網データとを含む経路探索情報を記憶する経路探索情報記憶手段、
を更に備え、
上記地図情報提供サーバの上記制御部は、
上記端末装置から送信される少なくとも出発地と目的地とを含む経路探索条件を満たす上記出発地から上記目的地までの案内経路を、上記経路探索情報記憶手段に記憶された上記経路探索情報を用いて探索する経路探索手段、
を更に備え、
上記案内地点情報は、上記経路探索手段により探索された上記案内経路上に設定された地点のうち、上記端末装置の上記入力部を介して選択された上記地点の地点情報であることを特徴とする、地図表示システム。
【請求項６】
施設内地図データを記憶する施設内地図データ記憶手段と、
上記施設内地図データ記憶手段に記憶され、案内地点情報から特定される上記施設内地図データにスクロール操作可能な領域を設定した領域設定地図データを生成する領域設定手段と、
上記領域設定手段により生成した上記領域設定地図データを表示した地図表示画面を表示部に表示させる領域設定地図表示手段と、
上記表示部に表示された画面をスクロール表示させるスクロール操作信号を少なくとも入力する入力部より入力された上記スクロール操作信号に基づいて、上記表示部に表示された上記地図表示画面をスクロール表示させるスクロール表示手段と、
を備え、
上記スクロール表示手段は、
上記入力部から上記スクロール操作可能な領域を越える上記スクロール操作信号が入力された場合、上記表示部に表示された上記地図表示画面をスクロール表示させるのを制限することを特徴とする、地図表示システム。
【請求項７】
地図情報提供サーバにネットワークを介して通信可能に接続された、表示部と当該表示部に表示された画面をスクロール表示させるスクロール操作信号を少なくとも入力する入力部と制御部とを少なくとも備える端末装置であって、
上記制御部は、
案内地点情報を上記地図情報提供サーバに送信する案内地点情報送信手段と、
上記地図情報提供サーバから送信される、上記案内地点情報送信手段により送信された上記案内地点情報から特定される施設内地図データにスクロール操作可能な領域を設定した領域設定地図データを受信する地図データ受信手段と、
上記地図データ受信手段により受信した上記領域設定地図データを表示した地図表示画面を上記表示部に表示させる領域設定地図表示手段と、
上記入力部より入力された上記スクロール操作信号に基づいて、上記表示部に表示された上記地図表示画面をスクロール表示させるスクロール表示手段と、
を備え、
上記スクロール表示手段は、
上記入力部から上記スクロール操作可能な領域を越える上記スクロール操作信号が入力された場合、上記表示部に表示された上記地図表示画面をスクロール表示させるのを制限することを特徴とする、端末装置。
【請求項８】
表示部と当該表示部に表示された画面をスクロール表示させるスクロール操作信号を少なくとも入力する入力部と制御部とを少なくとも備える端末装置にネットワークを介して通信可能に接続された、制御部と記憶部とを少なくとも備える地図情報提供サーバであって、
上記記憶部は、
施設内地図データを記憶する施設内地図データ記憶手段、
を備え、
上記制御部は、
上記施設内地図データ記憶手段に記憶され、上記端末装置から送信される案内地点情報から特定される上記施設内地図データにスクロール操作可能な領域を設定した領域設定地図データを生成する領域設定手段と、
上記領域設定手段により生成された上記領域設定地図データを表示した地図表示画面を生成する地図表示画面生成手段と、
上記地図表示画面生成手段により生成した上記地図表示画面を上記端末装置へ送信することにより、当該端末装置の上記表示部に当該地図表示画面を表示させる領域設定地図表示制御手段と、
上記端末装置の上記入力部より入力された上記スクロール操作信号を取得し、上記スクロール操作信号に基づくスクロール表示制御信号を上記端末装置に送信し、上記端末装置の上記表示部に表示された上記地図表示画面をスクロール表示させるスクロール表示制御手段と、
を備え、
上記スクロール表示制御手段は、
上記端末装置の上記入力部から上記スクロール操作可能な領域を越える上記スクロール操作信号が入力されたことを受信した場合、上記地図表示画面をスクロール表示させるのを制限するスクロール表示制限信号を送信し、上記表示部に表示された上記地図表示画面をスクロール表示させるのを制限することを特徴とする、地図情報提供サーバ。
【請求項９】
表示部と当該表示部に表示された画面をスクロール表示させるスクロール操作信号を少なくとも入力する入力部と制御部と記憶部とを少なくとも備えた地図表示装置であって、
上記記憶部は、
施設内地図データを記憶する施設内地図データ記憶手段、
を備え、
上記制御部は、
上記施設内地図データ記憶手段に記憶され、案内地点情報から特定される上記施設内地図データにスクロール操作可能な領域を設定した領域設定地図データを生成する領域設定手段と、
上記領域設定手段により生成した上記領域設定地図データを表示した地図表示画面を上記表示部に表示させる領域設定地図表示手段と、
上記入力部より入力された上記スクロール操作信号に基づいて、上記表示部に表示された上記地図表示画面をスクロール表示させるスクロール表示手段と、
を備え、
上記スクロール表示手段は、
上記入力部から上記スクロール操作可能な領域を越える上記スクロール操作信号が入力された場合、上記表示部に表示された上記地図表示画面をスクロール表示させるのを制限することを特徴とする、地図表示装置。
【請求項１０】
制御部と記憶部とを少なくとも備える地図情報提供サーバ、および、上記地図情報提供サーバにネットワークを介して通信可能に接続された、表示部と当該表示部に表示された画面をスクロール表示させるスクロール操作信号を少なくとも入力する入力部と制御部とを少なくとも備える端末装置を備えた地図表示システムにおいて実行される地図表示方法であって、
上記地図情報提供サーバの上記記憶部は、
施設内地図データを記憶する施設内地図データ記憶手段、
を備え、
上記端末装置の上記制御部において実行される、案内地点情報を上記地図情報提供サーバに送信する案内地点情報送信ステップと、
上記地図情報提供サーバの上記制御部において実行される、上記施設内地図データ記憶手段に記憶され、上記端末装置から送信される上記案内地点情報から特定される上記施設内地図データにスクロール操作可能な領域を設定した領域設定地図データを生成する領域設定ステップと、
上記地図情報提供サーバの上記制御部において実行される、上記領域設定地図データを上記端末装置へ送信する地図データ送信ステップと、
上記端末装置の上記制御部において実行される、上記地図情報提供サーバの上記地図データ送信ステップにて送信される上記領域設定地図データを受信する地図データ受信ステップと、
上記端末装置の上記制御部において実行される、上記地図データ受信手段にて受信した上記領域設定地図データを表示した地図表示画面を上記表示部に表示させる領域設定地図表示ステップと、
上記端末装置の上記制御部において実行される、上記入力部より入力された上記スクロール操作信号に基づいて、上記表示部に表示された上記地図表示画面をスクロール表示させるスクロール表示ステップと、
を含み、
上記スクロール表示ステップにおいて、
上記入力部から上記スクロール操作可能な領域を越える上記スクロール操作信号が入力された場合、上記表示部に表示された上記地図表示画面をスクロール表示させるのを制限することを特徴とする、地図表示方法。
【請求項１１】
地図表示システムにおいて実行される地図表示方法であって、
上記地図表示システムは、
施設内地図データを記憶する施設内地図データ記憶手段と、領域設定手段と、領域設定地図表示手段と、スクロール表示手段と、を備え、
上記領域設定手段が、上記施設内地図データ記憶手段に記憶され、案内地点情報から特定される上記施設内地図データにスクロール操作可能な領域を設定した領域設定地図データを生成する領域設定ステップと、
上記領域設定地図表示手段が、上記領域設定ステップにて生成した上記領域設定地図データを表示した地図表示画面を表示部に表示させる領域設定地図表示ステップと、
上記スクロール表示手段が、上記表示部に表示された画面をスクロール表示させるスクロール操作信号を少なくとも入力する入力部より入力された上記スクロール操作信号に基づいて、上記表示部に表示された上記地図表示画面をスクロール表示させるスクロール表示ステップと、
を含み、
上記スクロール表示ステップにおいて、
上記スクロール表示手段が、上記入力部から上記スクロール操作可能な領域を越える上記スクロール操作信号が入力された場合、上記表示部に表示された上記地図表示画面をスクロール表示させるのを制限することを特徴とする、地図表示方法。
【請求項１２】
地図情報提供サーバにネットワークを介して通信可能に接続された、表示部と当該表示部に表示された画面をスクロール表示させるスクロール操作信号を少なくとも入力する入力部と制御部とを少なくとも備える端末装置において実行される地図表示方法であって、
上記制御部において実行される、
案内地点情報を上記地図情報提供サーバに送信する案内地点情報送信ステップと、
上記地図情報提供サーバから送信される、上記案内地点情報送信ステップにて送信された上記案内地点情報から特定される施設内地図データにスクロール操作可能な領域を設定した領域設定地図データを受信する地図データ受信ステップと、
上記地図データ受信ステップにて受信した上記領域設定地図データを表示した地図表示画面を上記表示部に表示させる領域設定地図表示ステップと、
上記入力部より入力された上記スクロール操作信号に基づいて、上記表示部に表示された上記地図表示画面をスクロール表示させるスクロール表示ステップと、
を含み、
上記スクロール表示ステップにおいて、
上記入力部から上記スクロール操作可能な領域を越える上記スクロール操作信号が入力された場合、上記表示部に表示された上記地図表示画面をスクロール表示させるのを制限することを特徴とする、地図表示方法。
【請求項１３】
表示部と当該表示部に表示された画面をスクロール表示させるスクロール操作信号を少なくとも入力する入力部と制御部とを少なくとも備える端末装置にネットワークを介して通信可能に接続された、制御部と記憶部とを少なくとも備える地図情報提供サーバにおいて実行される地図表示方法であって、
上記記憶部は、
施設内地図データを記憶する施設内地図データ記憶手段、
を備え、
上記制御部において実行される、
上記施設内地図データ記憶手段に記憶され、上記端末装置から送信される案内地点情報から特定される上記施設内地図データにスクロール操作可能な領域を設定した領域設定地図データを生成する領域設定ステップと、
上記領域設定ステップにて生成された上記領域設定地図データを表示した地図表示画面を生成する地図表示画面生成ステップと、
上記地図表示画面生成ステップにて生成した上記地図表示画面を上記端末装置へ送信することにより、当該端末装置の上記表示部に当該地図表示画面を表示させる領域設定地図表示制御ステップと、
上記端末装置の上記入力部より入力された上記スクロール操作信号を取得し、上記スクロール操作信号に基づくスクロール表示制御信号を上記端末装置に送信し、上記端末装置の上記表示部に表示された上記地図表示画面をスクロール表示させるスクロール表示制御ステップと、
を含み、
上記スクロール表示制御ステップにおいて、
上記端末装置の上記入力部から上記スクロール操作可能な領域を越える上記スクロール操作信号が入力されたことを受信した場合、上記地図表示画面をスクロール表示させるのを制限するスクロール表示制限信号を送信し、上記表示部に表示された上記地図表示画面をスクロール表示させるのを制限することを特徴とする、地図表示方法。
【請求項１４】
表示部と当該表示部に表示された画面をスクロール表示させるスクロール操作信号を少なくとも入力する入力部と制御部と記憶部とを少なくとも備えた地図表示装置において実行される地図表示方法であって、
上記記憶部は、
施設内地図データを記憶する施設内地図データ記憶手段、
を備え、
上記制御部において実行される、
上記施設内地図データ記憶手段に記憶され、案内地点情報から特定される上記施設内地図データにスクロール操作可能な領域を設定した領域設定地図データを生成する領域設定ステップと、
上記領域設定ステップにて生成した上記領域設定地図データを表示した地図表示画面を上記表示部に表示させる領域設定地図表示ステップと、
上記入力部より入力された上記スクロール操作信号に基づいて、上記表示部に表示された上記地図表示画面をスクロール表示させるスクロール表示ステップと、
を含み、
上記スクロール表示ステップにおいて、
上記入力部から上記スクロール操作可能な領域を越える上記スクロール操作信号が入力された場合、上記表示部に表示された上記地図表示画面をスクロール表示させるのを制限することを特徴とする、地図表示方法。
【請求項１５】
地図情報提供サーバにネットワークを介して通信可能に接続された、表示部と当該表示部に表示された画面をスクロール表示させるスクロール操作信号を少なくとも入力する入力部と制御部とを少なくとも備える端末装置に実行させるためのプログラムであって、
上記制御部において、
案内地点情報を上記地図情報提供サーバに送信する案内地点情報送信ステップと、
上記地図情報提供サーバから送信される、上記案内地点情報送信ステップにて送信された上記案内地点情報から特定される施設内地図データにスクロール操作可能な領域を設定した領域設定地図データを受信する地図データ受信ステップと、
上記地図データ受信ステップにて受信した上記領域設定地図データを表示した地図表示画面を上記表示部に表示させる領域設定地図表示ステップと、
上記入力部より入力された上記スクロール操作信号に基づいて、上記表示部に表示された上記地図表示画面をスクロール表示させるスクロール表示ステップと、
を実行させ、
上記スクロール表示ステップにおいて、
上記入力部から上記スクロール操作可能な領域を越える上記スクロール操作信号が入力された場合、上記表示部に表示された上記地図表示画面をスクロール表示させるのを制限することを実行させるためのプログラム。
【請求項１６】
表示部と当該表示部に表示された画面をスクロール表示させるスクロール操作信号を少なくとも入力する入力部と制御部とを少なくとも備える端末装置にネットワークを介して通信可能に接続された、制御部と記憶部とを少なくとも備える地図情報提供サーバに実行させるためのプログラムであって、
上記記憶部は、
施設内地図データを記憶する施設内地図データ記憶手段、
を備え、
上記制御部において、
上記施設内地図データ記憶手段に記憶され、上記端末装置から送信される案内地点情報から特定される上記施設内地図データにスクロール操作可能な領域を設定した領域設定地図データを生成する領域設定ステップと、
上記領域設定ステップにて生成された上記領域設定地図データを表示した地図表示画面を生成する地図表示画面生成ステップと、
上記地図表示画面生成ステップにて生成した上記地図表示画面を上記端末装置へ送信することにより、当該端末装置の上記表示部に当該地図表示画面を表示させる領域設定地図表示制御ステップと、
上記端末装置の上記入力部より入力された上記スクロール操作信号を取得し、上記スクロール操作信号に基づくスクロール表示制御信号を上記端末装置に送信し、上記端末装置の上記表示部に表示された上記地図表示画面をスクロール表示させるスクロール表示制御ステップと、
を実行させ、
上記スクロール表示制御ステップにおいて、
上記端末装置の上記入力部から上記スクロール操作可能な領域を越える上記スクロール操作信号が入力されたことを受信した場合、上記地図表示画面をスクロール表示させるのを制限するスクロール表示制限信号を送信し、上記表示部に表示された上記地図表示画面をスクロール表示させるのを制限することを実行させるためのプログラム。
【請求項１７】
表示部と当該表示部に表示された画面をスクロール表示させるスクロール操作信号を少なくとも入力する入力部と制御部と記憶部とを少なくとも備えた地図表示装置に実行させるためのプログラムであって、
上記記憶部は、
施設内地図データを記憶する施設内地図データ記憶手段、
を備え、
上記制御部において、
上記施設内地図データ記憶手段に記憶され、案内地点情報から特定される上記施設内地図データにスクロール操作可能な領域を設定した領域設定地図データを生成する領域設定ステップと、
上記領域設定ステップにて生成した上記領域設定地図データを表示した地図表示画面を上記表示部に表示させる領域設定地図表示ステップと、
上記入力部より入力された上記スクロール操作信号に基づいて、上記表示部に表示された上記地図表示画面をスクロール表示させるスクロール表示ステップと、
を実行させ、
上記スクロール表示ステップにおいて、
上記入力部から上記スクロール操作可能な領域を越える上記スクロール操作信号が入力された場合、上記表示部に表示された上記地図表示画面をスクロール表示させるのを制限することを実行させるためのプログラム。